(57)【要約】      （修正有）【課題】撮影候補地に関する有用な情報を適切なタイミングで報知する。【解決手段】撮影地情報、及び撮影時の情報が関連付けられた画像データを記憶する画像記憶部２６と、前記画像データに対する評価の評価値を取得する取得部２２と、前記画像記憶部に記憶されている前記画像データに前記取得部により取得した前記評価値を関連付けて記憶させる記憶制御部２０と、前記画像データに関連付けられた前記評価値が所定の閾値を超えた場合、前記画像データに関連付けられている撮影地情報を、他の画像データに関連付けられている撮影地情報と区別して登録し、前記撮影時の情報に基づいて、撮影地情報を通信可能な端末に通知する通知時期を決定する決定部２０と、撮影地情報を前記端末に通知することを希望する旨の情報を記憶する個人情報記憶部２４と、前記通知時期になった時に、前記登録部に登録された撮影地情報を前記アドレスに送信する通知部２２とを備える。【選択図】図２
2015011416.tif 000002
【特許請求の範囲】
【請求項１】
撮影地情報、及び撮影時の情報が関連付けられた画像データを記憶する画像記憶部と、
前記画像データに対する評価の評価値を取得する取得部と、
前記画像記憶部に記憶されている前記画像データに前記取得部により取得した前記評価値を関連付けて記憶させる記憶制御部と、
前記画像データに関連付けられた前記評価値が所定の閾値を超えた場合、前記画像データに関連付けられている撮影地情報を、前記評価値が前記所定の閾値を超えていない他の画像データに関連付けられている撮影地情報と区別して登録する登録部と、
前記撮影時の情報に基づいて、前記登録部に登録された撮影地情報を通信可能な端末に通知する通知時期を決定する決定部と、
前記登録部に登録された撮影地情報を前記端末のアドレスに通知することを希望する旨の情報を記憶する個人情報記憶部と、
前記通知時期になった時に、前記登録部に登録された撮影地情報を前記アドレスに送信する通知部と
を備えることを特徴とする画像評価サーバ。
【請求項２】
前記撮影時の情報は、撮影年月日に関する情報を含み、
前記決定部は、前記撮影年月日に関する情報に基づいて前記通知時期を決定することを特徴とする請求項１記載の画像評価サーバ。
【請求項３】
各地における時期ごとの気象に関する情報を取得する気象情報取得部を備え、
前記撮影時の情報は、撮影時の気象情報を含み、
前記決定部は、前記気象情報取得部により取得された前記気象に関する情報に基づいて、前記登録部に登録された撮影地情報の位置が前記撮影時の気象になる時期を前記通知時期として決定することを特徴とする請求項１記載の画像評価サーバ。
【請求項４】
ＧＰＳにより測位された前記通信端末の位置に関する情報を取得する位置情報取得部を備え、
前記通知部は、前記通知時期において、前記端末の位置と前記登録部に登録された撮影地情報の位置との間の距離が所定の距離以下である場合に、前記登録部に登録された撮影地情報を前記アドレスに送信することを特徴とする請求項１〜３の何れか一項に記載の画像評価サーバ。
【請求項５】
前記個人情報記憶部は、前記端末のユーザの住所を記憶し、
前記決定部は、前記住所の位置と前記登録部に登録された撮影地情報の位置との間の距離が所定の距離以下である場合、前記住所の位置と前記登録部に登録された撮影地情報の位置との間の距離が所定の距離以下でない場合よりも早い時期を前記通知時期として決定することを特徴とする請求項２記載の画像評価サーバ。
【請求項６】
画像データに基づく画像に対する評価を管理する画像評価サーバと、前記画像評価サーバとネットワークを介して接続されている第１端末、第２端末、及び第３端末とを備える画像評価システムにおいて、
前記第１端末は、
撮影地情報、及び撮影時の情報が関連付けられた前記画像データを前記画像評価サーバに対して送信する第１送信部を備え、
前記第２端末は、
前記画像データに基づく画像に対する評価の評価値を前記画像評価サーバに対して送信する第２送信部を備え、
前記画像評価サーバは、
前記第１端末からネットワークを介して、前記撮影地情報、及び前記撮影時の情報が関連付けられた前記画像データを受信する第１受信部と、
前記第１受信部により受信した前記画像データを記憶する画像記憶部と、
前記第２端末からネットワークを介して、前記画像データに対する評価の評価値を受信する第２受信部と、
前記画像記憶部に記憶されている前記画像データに前記第２受信部により受信した前記評価値を関連付けて記憶させる記憶制御部と、
前記画像データに関連付けられた前記評価値が所定の閾値を超えた場合、前記画像データに関連付けられている撮影地情報を、前記評価値が前記所定の閾値を超えていない他の画像データに関連付けられている撮影地情報と区別して登録する登録部と、
前記撮影時の情報に基づいて、前記登録部に登録された撮影地情報を前記第３端末に通知する通知時期を決定する決定部と、
前記登録部に登録された撮影地情報を前記第３端末のアドレスに通知することを希望する旨の情報を記憶する個人情報記憶部と、
前記通知時期になった時に、前記登録部に登録された撮影地情報を前記アドレスに送信する通知部と
を備えることを特徴とする画像評価システム。
【請求項７】
前記撮影時の情報は、撮影年月日に関する情報を含み、
前記決定部は、前記撮影年月日に関する情報に基づいて前記通知時期を決定することを特徴とする請求項６記載の画像評価システム。
【請求項８】
各地における時期ごとの気象に関する情報を取得する気象情報取得部を備え、
前記撮影時の情報は、撮影時の気象情報を含み、
前記決定部は、前記気象情報取得部により取得された前記気象に関する情報に基づいて、前記登録部に登録された撮影地情報の位置が前記撮影時の気象になる時期を前記通知時期として決定することを特徴とする請求項６記載の画像評価システム。
【請求項９】
前記第３端末は、ＧＰＳにより測位された前記第３端末の位置に関する情報を前記画像評価サーバに対して送信する第３送信部を備え、
前記画像評価サーバは、前記第３端末から前記第３端末の位置に関する情報を受信する第３受信部を備え、
前記通知部は、前記通知時期において、前記第３端末の位置と前記登録部に登録された撮影地情報の位置との間の距離が所定の距離以下である場合に、前記登録部に登録された撮影地情報を前記アドレスに送信することを特徴とする請求項６〜８の何れか一項に記載の画像評価システム。
【請求項１０】
前記個人情報記憶部は、前記第３端末のユーザの住所を記憶し、
前記決定部は、前記住所の位置と前記登録部に登録された撮影地情報の位置との間の距離が所定の距離以下である場合、前記住所の位置と前記登録部に登録された撮影地情報の位置との間の距離が所定の距離以下でない場合よりも早い時期を前記通知時期として決定することを特徴とする請求項７記載の画像評価システム。
【発明の詳細な説明】
【技術分野】
【０００１】
本発明は、画像評価サーバ、及び画像評価システムに関するものである。
【背景技術】
【０００２】
従来、WEBサイトにアップロードされた画像の画像データを季節等のキーワードと関連付けてサーバに登録するシステムが知られている（例えば、非特許文献１参照）。このWEBサイトによれば、例えば、「春」等のキーワードを入力して検索することにより、「春」に関連する画像を閲覧することができる。
【０００３】
また、指定された時期に撮影された画像を検索し、地図上の撮影場所に対応する位置に表示させる画像表示システムが知られている（例えば、特許文献１参照）。
【先行技術文献】
【非特許文献】
【０００４】
【非特許文献１】http://www.nagano-tabi.net/modules/suteki/（長野県公式観光ウェブサイト  さわやか信州旅.net）
【特許文献】
【０００５】
【特許文献１】特開２００７−３２２８４７号公報
【発明の概要】
【発明が解決しようとする課題】
【０００６】
しかしながら、上述のWEBサイトにおいては、自由に画像データをアップロードすることができるため登録情報が雑多になりがちである。このためユーザは、撮影名所等の有用な情報に絞り込まれた検索結果を得ることができないという問題がある。
【０００７】
また、上述の画像表示システムにおいては、撮影候補地に関する画像を適切なタイミングで報知することができないという問題がある。
【０００８】
本発明の目的は、撮影候補地に関する有用な情報を適切なタイミングで報知することができる画像評価サーバ、画像評価システムを提供することである。
【課題を解決するための手段】
【０００９】
本発明の画像評価サーバは、撮影地情報、及び撮影時の情報が関連付けられた画像データを記憶する画像記憶部と、前記画像データに対する評価の評価値を取得する取得部と、前記画像記憶部に記憶されている前記画像データに前記取得部により取得した前記評価値を関連付けて記憶させる記憶制御部と、前記画像データに関連付けられた前記評価値が所定の閾値を超えた場合、前記画像データに関連付けられている撮影地情報を、前記評価値が前記所定の閾値を超えていない他の画像データに関連付けられている撮影地情報と区別して登録する登録部と、前記撮影時の情報に基づいて、前記登録部に登録された撮影地情報を通信可能な端末に通知する通知時期を決定する決定部と、前記登録部に登録された撮影地情報を前記端末のアドレスに通知することを希望する旨の情報を記憶する個人情報記憶部と、前記通知時期になった時に、前記登録部に登録された撮影地情報を前記アドレスに送信する通知部とを備えることを特徴とする。
【００１０】
本発明の画像評価システムは、画像データに基づく画像に対する評価を管理する画像評価サーバと、前記画像評価サーバとネットワークを介して接続されている第１端末、第２端末、及び第３端末とを備える画像評価システムにおいて、前記第１端末は、撮影地情報、及び撮影時の情報が関連付けられた前記画像データを前記画像評価サーバに対して送信する第１送信部を備え、前記第２端末は、前記画像データに基づく画像に対する評価の評価値を前記画像評価サーバに対して送信する第２送信部を備え、前記画像評価サーバは、前記第１端末からネットワークを介して、前記撮影地情報、及び前記撮影時の情報が関連付けられた前記画像データを受信する第１受信部と、前記第１受信部により受信した前記画像データを記憶する画像記憶部と、前記第２端末からネットワークを介して、前記画像データに対する評価の評価値を受信する第２受信部と、前記画像記憶部に記憶されている前記画像データに前記第２受信部により受信した前記評価値を関連付けて記憶させる記憶制御部と、前記画像データに関連付けられた前記評価値が所定の閾値を超えた場合、前記画像データに関連付けられている撮影地情報を、前記評価値が前記所定の閾値を超えていない他の画像データに関連付けられている撮影地情報と区別して登録する登録部と、前記撮影時の情報に基づいて、前記登録部に登録された撮影地情報を前記第３端末に通知する通知時期を決定する決定部と、前記登録部に登録された撮影地情報を前記第３端末のアドレスに通知することを希望する旨の情報を記憶する個人情報記憶部と、前記通知時期になった時に、前記登録部に登録された撮影地情報を前記アドレスに送信する通知部とを備えることを特徴とする。
【発明の効果】
【００１１】
本発明によれば、撮影候補地に関する有用な情報を適切なタイミングで報知することができる。
【図面の簡単な説明】
【００１２】
【図１】実施の形態に係る画像評価システムの構成を示すブロック図である。
【図２】実施の形態に係る画像評価サーバの構成を示すブロック図である。
【図３】実施の形態に係る端末の構成を示すブロック図である。
【図４】実施の形態に係る画像評価システムの処理を示すフローチャートである。
【発明を実施するための形態】
【００１３】
以下、図面を参照して本発明の実施の形態に係る画像評価システムについて説明する。図１は、実施の形態に係る画像評価システム２の構成を示すブロック図である。画像評価システム２は、画像の評価処理を行う画像評価サーバ４を備え、画像評価サーバ４はネットワーク６を介して種々の端末と通信可能となっている。
【００１４】
ここで、上記端末８には、デジタルカメラ、スマートフォン、タブレット端末、携帯電話のように画像を撮影することが可能な撮像装置のほか、画像データを保存可能なパソコンなどが含まれている。いずれの端末８も、画像評価サーバ４に対して通信接続可能な通信装置を内蔵、または外部機器として装着している。
【００１５】
図２は、実施の形態に係る画像評価サーバ４の構成を示すブロック図である。画像評価サーバ４は、通信可能な端末８からの画像評価を受け付ける画像評価サイト（図示せず）を提供するサーバであり、画像評価サーバ４の各部を統括的に制御するＣＰＵ２０を備えている。ＣＰＵ２０には、ネットワーク６を介して端末８との通信を行う通信部２２、アドレス等の個人情報を予め記憶する個人情報記憶部２４、ネットワーク６を介して端末８からアップロードされた画像の画像データを記憶する画像記憶部２６、所定の評価がなされた画像の撮影地点の位置情報を記憶する撮影名所記憶部２８、及び各地の気象に関する情報を時期ごとに記憶する気象データベース２９が接続されている。
【００１６】
ここで、個人情報記憶部２４に記憶されている個人情報は、端末８のユーザ等によって予め登録されたアドレスや住所等である。なお、撮影名所情報の通知を希望する端末８のユーザ（以下、希望者という。）は、撮影名所情報の通知を希望する旨の情報を端末８のアドレスと関連付けて個人情報記憶部２４に登録する。
【００１７】
また、気象データベース２９に記憶されている気象に関する情報は、例えば、全国主要地点において予測される気象（例えば、天気、風速、波の高さ等）に関する情報、全国主要地点において桜が満開になる時期に関する情報、全国主要地点において梅雨入りする時期に関する情報等を含んでいる。これらの気象に関する情報は、天気予報、桜前線予報、梅雨前線予報等の情報を提供する所定の気象予報サイト等からネットワーク６を介して取得され、一定の時間間隔で適宜更新される。
【００１８】
図３は、実施の形態に係る画像評価サーバ４と通信可能な端末８の構成を示すブロック図である。この端末８は、ＣＰＵ３０を備え、ＣＰＵ３０には、ネットワーク６を介して画像評価サーバ４との間で通信を行う通信部３２、ＧＰＳ衛星から受信した信号に基づいて現在位置を測位するＧＰＳ３４、ＬＣＤ表示部３８、被写体光を撮像して撮像信号を生成する撮像素子４１、及び画像データを記憶するメモリカード５２を装着するメモリカードスロット５３が接続されている。なお、端末８の種類によっては撮像素子４１やＧＰＳ３４を備えない場合もあるが、これらの機能を代替する構成を備えていてもよい。つまり、撮像素子４１やＧＰＳ３４を備えていないパソコンなどは、代わりに画像データを記憶する記憶デバイスを備えていればよく、通信基地局を介して概略的な位置情報が特定できるだけでもよい。また、いずれの端末も少なくとも通信部３２を実質的に備えているが、他の機能で装備していないものについては、画像評価サーバ４との間のサービスが制限されるに過ぎない。
【００１９】
次に、実施の形態に係る画像評価サーバ４によって提供される画像評価サイトに画像をアップロードする処理について説明する。画像をアップロードしようとする者（登録者／アップローダ）は、端末８（デジタルカメラやスマートフォン、タブレット端末、携帯電話、パソコン）から画像評価サイトへアクセスする。次に、登録者により、端末８に装着されたメモリカード５２に記憶されている画像データの中から一枚または複数枚の画像データが選択され、画像評価サイトにアップロードされる。ここで、メモリカード５２に記憶されている画像データにはタグ情報として、ファイル名、撮影地点の位置情報等、撮影年月日情報、及び撮影条件等が付加されている。
【００２０】
なお、登録者は、画像をアップロードする際に、撮影時の気象条件等を画像データに付加することができる。この場合登録者は、例えば、「雨」、「晴」、「曇」、「桜」、「梅雨」等の撮影時の気象条件をキーワードとして画像データに付加する。
【００２１】
次に、画像評価サーバ４のＣＰＵ２０は、画像評価サイトにアップロードされた画像を公開し閲覧可能な状態とすると共に、アップロードされた画像の画像データを画像記憶部２６に記憶する。
【００２２】
次に、図４に示すフローチャートを参照して、実施の形態に係る画像評価システム２における処理について説明する。なおフローチャートは、画像評価サーバ４のＣＰＵ２０を主体として記載されている。
【００２３】
まず、画像を評価しようとする者（評価者）が、端末８（デジタルカメラ、スマートフォン、タブレット端末、携帯電話、パソコン）のブラウザから画像評価サイトへアクセスすると、端末８のＬＣＤ表示部３８に画像評価サイトの画面が表示される。
【００２４】
次に、評価者により、画像評価サイトに掲載されている画像の評価が入力される。例えば、評価者は、画像評価サイトに掲載されている複数の画像の中から図示しない画像Ｘを選択し、画像Ｘに対する評価点数を入力する。ここで、画像Ｘは画像データＸ´（図示せず）に基づく画像であり、撮影地点Ｙ（図示せず）で撮影されたものとして以下の説明を行う。
【００２５】
画像Ｘに対する評価点数が入力されると、画像評価サーバ４のＣＰＵ２０は、画像記憶部２６に記憶されている画像Ｘの画像データＸ´に評価点数を付加する（ステップＳ１）。ここで、画像データＸ´に既に評価点数が付加されている場合、既に画像データＸ´に付加されている評価点数に新たな評価点数が加算される。
【００２６】
次に、ＣＰＵ２０は、画像データＸ´に付加されている評価点数の合計が所定の点数を超えたか否かを判定する（ステップＳ２）。合計が所定の点数を超えていない場合（ステップＳ２：Ｎｏ）、ステップＳ１に戻り、継続して画像Ｘに対する評価を受付ける。一方、合計が所定の点数を超えた場合（ステップＳ２：Ｙｅｓ）、ＣＰＵ２０は、画像Ｘの撮影地点Ｙを評価点数の合計が所定の点数を超えていない画像の撮影地点と区別し、撮影地点Ｙを「撮影名所」として登録（以下、名所登録という。）する（ステップＳ３）。即ち、画像データＸ´に付加されている撮影地点Ｙの位置情報を撮影名所情報として撮影名所記憶部２８に記憶する。
【００２７】
次に、ＣＰＵ２０は、新たに名所登録された撮影地点Ｙの撮影名所情報を希望者に通知する通知時期を決定する（ステップＳ４）。例えば、ＣＰＵ２０は、画像データＸ´に付加されている撮影年月日情報に基づく撮影年月日が「２０１２年４月５日」である場合、翌年の「２０１３年４月５日」を通知時期として決定する。
【００２８】
また、画像データＸ´にキーワードが付加されている場合、撮影年月日情報に代えて、キーワードと撮影地点Ｙの位置情報に基づいて通知時期を決定してもよい。例えば、「２０１３年３月７日」に撮影地点Ｙの名所登録がなされた場合において、画像データＸ´に付加されているキーワードが「雨」であり、撮影地点Ｙの位置情報が「上野公園」であったとする。この場合、ＣＰＵ２０は、気象データベース２９に記憶されている、全国主要地点において予測される天気に関する情報を参照し、名所登録がなされた「２０１３年３月７日」の直近に上野公園が雨になると予想される日である、「２０１３年３月１３日」を通知時期として決定する。
【００２９】
また、キーワードが「雨」でなく、「桜」であった場合、ＣＰＵ２０は、気象データベース２９に記憶されている、全国主要地点においてにおいて桜が満開になる時期に関する情報を参照し、名所登録がなされた「２０１３年３月７日」の直近に上野公園で桜が満開になると予想される日である、「２０１３年３月２２日」を通知時期として決定する。
【００３０】
次に、ＣＰＵ２０は、ステップＳ４で決定した通知時期を撮影名所記憶部２８に記憶されている撮影地点Ｙの撮影名所情報に関連付けて記憶する。
【００３１】
次に、ＣＰＵ２０は、撮影地点Ｙの撮影名所情報の通知時期が到来したか否かを判定する（ステップＳ５）。ここで、通知時期が到来したか否かの判定は、例えば、毎日所定の時刻に現在の年月日が撮影地点Ｙの撮影名所情報に関連付けられている通知時期と一致するか否かを判定することにより行われる。撮影地点Ｙの撮影名所情報の通知時期が到来していない場合（ステップＳ５：Ｎｏ）、ステップＳ５の処理に戻る。
【００３２】
一方、撮影地点Ｙの撮影名所情報の通知時期が到来した場合（ステップＳ５：Ｙｅｓ）、ＣＰＵ２０は、希望者のアドレスに宛てて、撮影地点Ｙの撮影名所情報を通知する（ステップＳ６）。例えば、図１に示す、端末８（デジタルカメラ、スマートフォン、タブレット端末、携帯電話、パソコン）のうち、スマートフォンのユーザとパソコンのユーザが撮影名所情報の通知を希望する旨の情報を個人情報記憶部２４に登録していた場合、ＣＰＵ２０は、スマートフォンのアドレス、及びパソコンのアドレスに宛てて、「新規に登録されたお薦めの撮影スポットをお知らせします。」等のメッセージに撮影地点Ｙの撮影名所情報を添付した電子メールを送信する。
【００３３】
この実施の形態に係る画像評価システム２によれば、画像データに関連付けられている撮影年月日情報やキーワードに基づいて撮影名所情報の通知時期を決定するため、希望者に対して適切なタイミングで撮影名所情報を通知することができる。
【００３４】
なお、上述の実施の形態において、撮影地点Ｙの撮影名所情報の通知時期が到来した場合、ＣＰＵ２０は、撮影地点Ｙと希望者の端末８との間の距離に応じて通知を行うか否かを判定してもよい。
【００３５】
例えば、希望者の端末８としてスマートフォンが用いられた場合において、撮影地点Ｙの撮影名所情報の通知時期が到来したとする。この場合、画像評価サーバ４のＣＰＵ２０は、ネットワーク６を介してスマートフォンとの間の通信を開始し、ＧＰＳ３４によって測位されたスマートフォンの現在位置の位置情報を受信する。次に、ＣＰＵ２０は、受信した位置情報に基づいて、撮影地点Ｙの位置とスマートフォンの現在位置との間の距離を算出し、算出結果に基づいて、撮影地点Ｙの位置とスマートフォンの現在位置との間の距離が所定の距離以下であるか否かを判定する。撮影地点Ｙの位置とスマートフォンの現在位置との間の距離が所定の距離以下である場合、ＣＰＵ２０は、スマートフォンのアドレスに宛てて、「新規に登録されたお薦めの撮影スポットをお知らせします。」等のメッセージに撮影地点Ｙの撮影名所情報を添付した電子メールを送信する。一方、撮影地点Ｙの位置とスマートフォンの現在位置との間の距離が所定の距離以下でない場合、ＣＰＵ２０は、スマートフォンのアドレスに宛てた通知を行わない。
【００３６】
このため、例えば、上野公園で桜が満開になると予想される「２０１３年３月２２日」が通知時期として決定された場合、「２０１３年３月２２日」にスマートフォンが首都圏内に位置していればスマートフォンに撮影地情報が通知される。一方、「２０１３年３月２２日」にスマートフォンが首都圏内に位置していなければスマートフォンに撮影地情報が通知されない。
【００３７】
これにより、希望者が通知時期に撮影名所に赴く可能性が高い場合に絞って撮影名所情報を通知することができる。
【００３８】
また、上述の実施の形態において、更に撮影名所の位置と端末８との間の距離に基づいて撮影名所情報の通知時期を決定してもよい。例えば、画像Ｘの撮影年月日が「２０１２年４月５日」であり、画像Ｘの撮影地点Ｙが名所登録された日が「２０１３年２月５日」であったとする。ここで、希望者の端末８としてパソコンが用いられる場合、画像評価サーバ４のＣＰＵ２０は、パソコンの個人情報記憶部２４に記憶されている希望者の住所を読み出し、撮影地点Ｙの位置と希望者の住所の位置との間の距離が所定の距離以下であるか否かを判定する。撮影地点Ｙの位置と希望者の住所の位置との間の距離が所定の距離以下でない場合、即ち、希望者が撮影地点Ｙの遠くに住んでいる場合、ＣＰＵ２０は、画像Ｘの撮影年月日である「２０１２年４月５日」の翌年の「２０１３年４月５日」を撮影地点Ｙの撮影名所情報の通知時期として決定する。
【００３９】
一方、撮影名所の位置と希望者の住所の位置との間の距離が所定の距離以下である場合、即ち、希望者が撮影地点Ｙの近くに住んでいる場合、ＣＰＵ２０は、希望者が撮影地点Ｙの遠くに住んでいる場合の通知時期である、「２０１３年４月５日」よりも早い時期の「２０１３年３月５日」を撮影地点Ｙの撮影名所情報の通知時期として決定する。
【００４０】
このように、希望者が撮影地点Ｙの遠くに住んでいる場合には、希望者が撮影地点Ｙの近くに住んでいる場合よりも通知時期を遅くし、一方、希望者が撮影地点Ｙの近くに住んでいる場合には、希望者が撮影地点Ｙの遠くに住んでいる場合よりも通知時期を早くすることにより、希望者が撮影地点Ｙに赴く際の距離的負担に配慮した適切なタイミングで撮影名所情報の通知を行うことができる。
【００４１】
また、上述の実施の形態において、希望者が画像評価サイトで撮影名所情報を検索できるようにしてもよい。この場合、検索された季節に近い通知時期が関連付けられている撮影名所情報のみを検索結果として端末８のＬＣＤ表示部３８（図３参照）に表示させるようにしてもよい。例えば、希望者が「山」をキーワードとして冬の季節に山の撮影名所情報を検索したとする。この場合、画像評価サーバ４のＣＰＵ２０は、冬の次の季節である春の通知時期が関連付けられている山の撮影名所情報だけをＬＣＤ表示部３８に表示させるようにする。
【００４２】
これにより希望者は、撮影名所情報を適切なタイミングで閲覧することができる。この例では、春山の撮影名所で撮影を行いたい希望者は、春が訪れる前に春山の撮影名所情報を閲覧することができる。また、撮影名所情報の数が多い場合、希望者は、有用な撮影名所情報に絞り込まれた検索結果を得ることができる。
【００４３】
また、上述の実施の形態において、撮影年月日情報に基づいて決定する場合の通知時期は、上述の例で挙げた時期に限定されない。例えば、画像データＸ´に付加されている撮影年月日情報に基づく撮影年月日の翌年の同月日よりも所定の期間前または所定の期間後の時期を通知時期としてもよい。ここで、所定の期間については、サーバ管理者が任意に設定することができる。具体的には、画像データＸ´に付加されている撮影年月日情報に基づく撮影年月日が「２０１２年４月５日」である場合、翌年の「２０１３年４月５日」を基準として３か月前の「２０１３年１月５日」を通知時期としてもよく、「２０１３年４月５日」を基準として３か月後の「２０１３年７月５日」を通知時期としてもよい。
【００４４】
また、季節に重点を置いて通知時期を決定してもよい。例えば、画像データＸ´に基づく画像Ｘの撮影年月日が「２０１２年１０月５日」、即ち秋である場合、ＣＰＵ２０は、秋になる前の「２０１３年８月５日」を通知時期として決定する。これにより、季節に合わせた適切なタイミングで撮影名所情報を通知することができる。例えば、紅葉の季節が訪れる前に紅葉の撮影名所情報を通知することができる。
【００４５】
また、上述の実施の形態において、気象条件のキーワードは、画像を閲覧した端末８のユーザが画像データに付加してもよく、画像に評価点数を入力した評価者が画像データに付加してもよい。また、画像評価サイトに画像がアップロードされたときに、画像評価サーバ４のＣＰＵ２０がネットワーク６を介して所定の気象予報サイト等から気象に関する情報を取得し、画像データに付加してもよい。
【符号の説明】
【００４６】
２…画像評価システム、４…画像評価サーバ、６…ネットワーク、８…端末、２０…ＣＰＵ、２２…通信部、２４…個人情報記憶部、２６…画像記憶部、２８…撮影名所記憶部、２９…気象データベース、３０…ＣＰＵ、３２…通信部、３８…ＬＣＤ表示部
【図１】
2015011416.tif 000003
【図２】
2015011416.tif 000004
【図３】
2015011416.tif 000005
【図４】
2015011416.tif 000006